(57)【要約】【課題】  動画ボヤケが少なく、コントラストが高い高画質の画像表示を得る。【解決手段】  電子線源パネルガラス基板１１の内面に、電子線を放出する陰極１２と、該陰極から放出される電子線２０１の強度を制御する制御電極１３とを備える電子線源パネル１と、蛍光面パネルガラス基板２１に、電子線２０１を照射することにより全発光面に渡って同一色で発光する蛍光体２２を有する発光面と、蛍光体２２に必要な電位を供給する陽極２３を有する蛍光面パネル２とをスペーサ８を介して貼り合わせ、枠ガラス７で封止し、内部を真空に引く。上記発光面を３以上の領域に分割し、該分割した発光面の一部の領域のみを選択的に発光させる平板バックライトとする。この平板バックライトを液晶素子の背面に設置して蛍光体２２の発光を液晶表示装置の照明光とする。【選択図】        図２
2005084491.tif 000002
【特許請求の範囲】
【請求項１】
液晶素子の背面に設置して該液晶素子に照明光を与える平板バックライトであって、
電子線を放出する陰極と、該陰極から放出される電子線の強度を制御する制御電極とを備える電子線源パネルと、前記電子線を照射することにより全発光面に渡って同一色で発光する蛍光体を有する発光面と、前記蛍光体に必要な電位を供給する陽極を有する蛍光面パネルとを少なくとも備え
前記発光面が３以上の領域に分割されており、該分割された発光面の一部の領域のみを選択的に発光させることを特徴とする平板バックライト。
【請求項２】
前記蛍光体の発光色が白色であることを特徴とする請求項１に記載の平板バックライト。
【請求項３】
前記陰極と前記制御電極は概ね同一平面上に形成されており、
前記陰極上の任意の点である第１の点から前記陽極面上に下ろした垂線の長さと、前記陰極上の前記第１の点に最も近い前記制御電極上の第２の点から該陽極面上に下ろした垂線の長さの差が、前記第１の点の前記陰極の膜厚もしくは前記第２の点の前記制御電極の膜厚のいずれか大きい方の膜厚以下であることを特徴とする請求項１又は２に記載の平板バックライト。
【請求項４】
前記陰極を構成する材料のうち、直接電子放出が生じる電子放出材料の主成分が炭素ナノチューブ、微細炭素ファイバ、ダイヤモンド、ダイヤモンドライク炭素から選ばれていることを特徴とする請求項１乃至３の何れかに記載の平板バックライト。
【請求項５】
液晶を用いて画素ごとの光透過度を変えることができる液晶素子と、
電子線を放出する陰極と該陰極から放出される電子線強度を制御する制御電極を備える電子線源パネルと、前記電子線を照射することにより全発光面に渡って同一色で発光する蛍光体と該蛍光体に電流を供給する陽極を有する蛍光面パネルを少なくとも有し、
前記蛍光面パネルの発光面が３以上の領域に分割されており、該分割された一部の領域を選択的に発光させる平板バックライトを備えたことを特徴とする液晶表示装置。
【請求項６】
前記蛍光体の発光色が白色である前記平板バックライトと、前記液晶素子の前面にカラーフィルタを備えたことを特徴とする請求項５に記載の液晶表示装置。
【請求項７】
前記液晶素子内の前記画素の前記光透過度の状態変更を行なう際には、該状態変更が生じる際に該当する前記領域の蛍光体の発光を抑制する該液晶素子の駆動と同期をとって発光制御する前記平板バックライトを備えたことを特徴とする請求項５又は６に記載の液晶表示装置。
【請求項８】
前記陰極と前記制御電極は概ね同一平面上に形成されており、
前記陰極上の任意の点である第１の点から前記陽極面上に下ろした垂線の長さと、前記陰極上の第１の点に最も近い前記制御電極上の第２の点から該陽極面上に下ろした垂線の長さの差が、前記第１の点の前記陰極の膜厚もしくは前記第２の点の前記制御電極の膜厚のいずれか大きい方の膜厚以下である前記平板バックライトを備えたことを特徴とする請求項５又は６に記載の液晶表示装置。
【請求項９】
前記陰極を構成する材料のうち、直接電子放出が生じる電子放出材料の主成分が炭素ナノチューブ、微細炭素ファイバ、ダイヤモンド、ダイヤモンドライク炭素から選ばれている前記平板バックライトを備えたことを特徴とする請求項５乃至７の何れかに記載の液晶表示装置。
【請求項１０】
外部からの選択信号と、表示する画像信号をもとにして得られた選択信号のうちの少なくともいずれか一方により、前記発光面の分割数と各分割領域の点滅周期の少なくとも一方を変化させることができる前記平板バックライトを備えたことを特徴とする請求項５乃至９の何れかに記載の液晶表示装置。
【請求項１１】
前記平板バックライトの前記蛍光体の発光強度は複数の設定値を選択することが可能であり、
前記液晶素子内の前記画素の駆動に際して、前記平板バックライトの前記発光面における該当する前記領域の発光強度と、前記液晶素子内の前記画素の光透過度との両方の制御を行なうことのできる駆動装置を備えたことを特徴とする請求項５乃至１０の何れかに記載の液晶表示装置。
【発明の詳細な説明】
【技術分野】
【０００１】
本発明は、液晶素子と組合わせて用いるバックライトであって、高温に加熱することなく比較的低電界で電子放出を生じる冷陰極材料、特に炭素ナノチューブ、微細炭素ファイバ、ダイヤモンド等の炭素系材料を陰極に用いた電界放射型発光素子である平板バックライトおよび、平板バックライトと液晶素子を組合わせた液晶表示装置に関する。
【背景技術】
【０００２】
ブラウン管と同様に陰極（線状のカソード）から放出された電子線を蛍光体に照射することにより得られる発光を液晶表示装置のバックライトとして組合わせた薄型光源が特許文献１に記載されている。この特許文献１においては、複数の線状電子源とメッシュ電極を備えており駆動パルス幅を制御することにより輝度を調節して全面を単色均一発光させている。また、用いる液晶素子の画素に合せて発光色の異なる蛍光体を配置することにより液晶素子側にカラーフィルタを備えることなくカラー表示可能な液晶表示装置が特許文献２に示されている。さらに、電界放射型電子源を陰極として用いるとともに複数の色を選択発光可能な蛍光面を有して平板バックライトの発光制御と液晶素子の表示画素制御を同期駆動させることによりカラー表示可能とした液晶表示装置が特許文献３に示されている。
【特許文献１】特開昭６３−１０４５８号公報
【特許文献２】特開平１１−７０１６号公報
【特許文献３】特開平１１−６４８２０号公報
【発明の開示】
【発明が解決しようとする課題】
【０００３】
前記従来技術に示されたように、電子線を蛍光体に照射することによる発光を液晶素子のバックライトとして用いて、高輝度で輝度制御可能な液晶表示装置を得ることができる。これにより、バックライトとして蛍光灯と導光板や分散板を用いた液晶表示装置と比較して、ピーク輝度が高く高画質の液晶表示装置が得られる。
【０００４】
しかしながら、従来技術１に示された構造では、複数の線状電子源を所定の位置に分布配置する必要があるため線状の電子源の密度を高くして均一度を上げることが困難であるとともに、製造コストが高くなってしまう。さらには、蛍光面の発光状態が全面均一であるため動画像を表示した際の画質劣化いわゆる動画ボヤケを避けるためには液晶素子の駆動方法が複雑化になってしまう。
【０００５】
また、特許文献２に示されているように複数の色を選択的に発光させる構造とするためには、蛍光体の励起源である電子線の軌道と蛍光体の配置、さらには液晶素子の画素配置とを厳密に合せる必要があり、この位置合せのために電子線強度の設定に制限が生じたり、製造コストが高くなる。
【０００６】
動画ボヤケの改善については特許文献３に示されている。特許文献３では、複数色の発光を面順次で生じさせるとともに液晶素子の画素書換え時に無発光状態を入れることにより動画ボヤケの発生を抑制している。しかしながら、特許文献３においても複数の色を選択的に発光させる必要があり、特許文献２と同様に電子線の軌道と蛍光体の配置を厳密に合せる必要があり、この位置合せのために電子線強度の設定に制限が生じる。さらには、面順次式にカラー画像を表示するために通常の駆動方法の３倍以上の高速で駆動する必要がある。これらの、位置合わせや高速駆動可能なパネル構造にする必要があることや、高速駆動に対応した駆動装置が必要となることにより、製造コストが高くなる。
【０００７】
本発明の目的は、全発光面で高輝度かつ均一な照明光を生成できる平板バックライトと  この平板バックライトを用いた高品質の液晶表示装置を提供することにある。
【課題を解決するための手段】
【０００８】
上記目的を達成するため、本発明の平板バックライトは低電界により電子放出の得られる材料を用いた電界放射型電子源を有する陰極とこの陰極から放出される電子線の強度を制御する制御電極とを有する陰極パネルと、全発光面に渡って同一色で発光する蛍光体を有する発光面および蛍光体に必要な電位を供給する陽極を有する蛍光面パネルとで構成する。また、この平板バックライトを用いた本発明の液晶表示装置は、全発光面の一部を選択的に発光させることで動画ボヤケを抑制して高品質の動画表示を実現した。
【０００９】
低電界により電子放出の得られる上記電子放出材料としては、ダイヤモンド、炭素ナノチューブ、微細炭素ファイバ等を用いた電界放射型電子源を陰極に用いる。そして、制御電極と陰極に印加する電圧を制御することにより、蛍光面パネルの全発光面の一部を選択的に発光させる駆動方法を用いることで、高輝度で動画ボヤケが低減された高画質の液晶表示装置を得る。本発明の代表的な構成は次のとおりである。
【００１０】
本発明の平板バックライトは、発光色を白色とした発光面を３以上の領域に分割し、該分割した発光面の一部の領域のみを選択的に発光させる。
【００１１】
陰極と制御電極を概ね同一平面上に形成し、陰極上の任意の点である第１の点から陽極面上に下ろした垂線の長さと、陰極上の該第１の点に最も近い制御電極上の第２の点から陽極面上に下ろした垂線の長さの差が、上記第１の点の陰極の膜厚もしくは上記第２の点の制御電極の膜厚のいずれか大きい方の膜厚以下とする。
【００１２】
また、本発明の液晶表示装置は、その平板バックライトに対して、外部からの選択信号又は画像信号をもとにして得た選択信号のうちの少なくともいずれかにより、発光面の分割数と各分割領域の点滅周期の少なくとも一方を変化させる。また、平板バックライトの前記蛍光体の発光強度、液晶素子の光透過度を選択可能とするための駆動装置を備える。
【００１３】
なお、本発明は、上記の構成及び後述する実施の形態に記述される構成に限定されるものではなく、本発明の技術思想を逸脱することなく、種々の変更が可能であることは言うまでもない。
【発明の効果】
【００１４】
以上説明したように、本発明によれば、液晶パネル部を照明するバックライトとして、ライン走査型の単色発光を行なうことができる電界放射型電子源を用いた平板発光素子を用いることにより、特に動画像におけるボヤケ等の画質劣化の少ない画像表示を得ることができる平板バックライトが得られる。さらに、この平板バックライトの発光輝度を部分的かつ短時間のみ高輝度とし、液晶素子の光透過率を適切に制御することにより、消費電力においてわずかな上昇でも効果的にコントラストの改善を図ることができ、高画質の表示を可能とした液晶表示装置を提供することができる。
【発明を実施するための最良の形態】
【００１５】
以下、本発明の実施の形態について、実施例の図面を参照して詳細に説明する。
【００１６】
図１は本発明による平板バックライトの第１実施例の概略構成を説明する斜視図である。また、図２は図１をＡ面で切断した本発明による平板バックライトの第１実施例の概略構成を説明する断面図である。本実施例の平板バックライトは、発光領域を複数制御電極により分割した形式である。なお、図２には電極構成および電圧印加状態を示してある。
【００１７】
本実施例では、電子線源パネルガラス基板１１上の発光領域に相当する領域に導電性を確保するために銀ペーストを印刷し焼成して厚さ５μｍの下地を形成する。その後、長さ５μｍを中心とする炭素ファイバを１０重量％含むペーストを印刷焼成して陰極１２とする。この上に、１ｍｍ間隔で高さ３０μｍ幅５０μｍとなるように絶縁ストライプ１４を誘電体ペーストを用いて印刷形成し、この上にインバー材に直径５０μｍの開口部をエッチングにより形成した薄板である制御電極１３を絶縁ストライプ１４と直交する方向に配置してフリットガラス( 図示せず) にて固定して陰極パネルすなわち電子線源パネル１とする。
【００１８】
一方、蛍光面パネル２については、蛍光面パネルガラス基板２１上の発光領域に蛍光体２２を印刷により形成し、これを焼成した後に陽極２３となるアルミニウムを蒸着により形成する。以上のように作製した電子線源パネル１と蛍光面パネル２を枠ガラス７およびスペーサ８を介して接合して内部を真空排気する。用いたスペーサ８は、電子線源パネル１側が幅５００μｍ、蛍光面パネル２側が幅３００μｍ高さ６ｍｍの台形断面を有するリブ状のものである。また、スペーサ８は絶縁ストライプ１４と平行となるように配置する。
【００１９】
陰極１２は０Ｖとし、陽極２３には陽極電源１０５により２０ｋＶを印加する。制御電極１３は複数あるので制御電極駆動回路１０１を接続し、図１に示したような制御電極選択信号を印加して線順次で各制御電極に選択電圧が印加されるようにする。この場合、図２に示したように、選択され電子放出させる領域に該当する制御電極１３には正電圧（本実施例では＋３００Ｖ）を印加し、電子放出させない領域に該当する制御電極は陰極１２と同電位とした。なお、図２中、参照符号１０３は制御電極電源、１０５は陽極電源、２０１は電子線、２０２は蛍光を示す。
【００２０】
図３は本発明による液晶表示装置の第１実施例の概略構成を説明する斜視図である。また、図４は本発明による液晶表示装置の第１実施例の概略構成および平板バックライトからの光の径路を説明する図３のＢ−Ｂ’線に沿った断面図である。この液晶表示装置は、図４に示したように、下偏光板４、液晶素子５、上偏光板４' 、カラーフィルタ６からなる液晶パネル部４００の背面に平板バックライト部３００を設置して構成される。
【００２１】
なお、図示しないが、液晶素子５は２枚のガラス基板の一方の内面に複数の選択ライン電極と、この選択ライン電極に交差する複数の信号ライン電極を有し、選択ライン電極と信号ライン電極の交差部分に薄膜トランジスタ等のアクティブ素子が形成されている。選択ライン電極で選択されたラインの薄膜トランジスタに信号ライン電極から画像データが書き込まれる。そして、平板バックライト部３００の制御電極１３（図２参照）は上記液晶素子の選択ライン電極と平行になるように配置され、この制御電極１３を線順次で選択していくことにより、全面が順次発光し、液晶パネル部４００を照明する。
【００２２】
しかしながら、図１、図２に示したスペーサ８が存在する領域には電子線照射されないために発光面のスペーサ８の位置には線上の薄い影が見られる。そのため、本実施例の液晶表示装置では、平板バックライト部３００単体の場合に見られたスペーサ８の影響等による輝度ムラを隠すため平板バックライト部３００の蛍光面パネル２上に光散乱板３を重ねる。
【００２３】
平板バックライト部３００と液晶パネル部４００と組合わせて液晶表示装置を構成する組合わせの際には、液晶素子５の画素データ書換えを行なうための、選択ライン電極と画素データ電極とにより構成されるマトリクス構造のうち、該選択ライン電極を平板バックライト部３００の上記制御電極１３と平行となるように形成した。
【００２４】
以上のような構成とすることにより、電子線源パネル１からの電子線２０１を蛍光面パネル２に照射することにより蛍光２０２からの発光が光散乱板３により均質化され、下偏光板４、液晶素子５、上偏光板４' により必要領域のみ透過光２０３が生じ、カラーフィルタ６によりカラー化されて画像が表示される。
【００２５】
平板バックライト部３００側は順次発光するだけであり液晶パネル部４００側の画素との対応を取る必要はないため、組立てる際にも平板バックライト部３００と液晶パネル部４００の精密な位置合せは不要である。この液晶表示装置の駆動においては、液晶素子５の画素データ書換えのためのライン電極選択信号と、平板バックライト部３００の制御電極駆動回路１０１の選択信号の同期をとりつつも、両者において同一領域を同時に選択しないように位相をずらして駆動するようにする。これにより、液晶素子５の画素書換え時には平板バックライト部３００の該当領域の発光が停止するような駆動をすることが可能であり、書換え前後の画素状態が同時に認識されることにより生じる動画質劣化（いわゆる、動画ボヤケ）の発生を抑制することができる。
【００２６】
なお、本実施例の液晶表示装置においては、制御電極１３を６分割してその一部のみ発光させるようにする。これは蛍光体２２の発光特性と、制御電極駆動回路１０１の構成を考慮した上で最も適切な分割数にすればよいが、分割領域の境界部分では発光が完全に停止した消光状態にし難いことから、３分割以上にして発光停止状態を確実に確保できるようにすることが望ましい。
【００２７】
図５は本発明による平板バックライトの第２実施例の概略構成を説明する斜視図である。また、図６は図５をＣ面で切断した本発明による平板バックライトの第２実施例の概略構成を説明する断面図である。本実施例の平板バックライトは、陰極を分割することにより発光領域を分割した構成としたものである。すなわち、前記した平板バックライトの第１実施例では、制御電極１３を分割することにより発光領域を分割した。しかし、本実施例のように、陰極１２を分割することにより発光領域を分割してもよい。
【００２８】
本実施例の平板バックライトは、電子線源パネルガラス基板１１上に銀ペーストを用いて幅１００μｍ、間隔２０μｍの下地電極を印刷し焼成した後、の上に炭素ファイバを１０重量％含むペーストを用いて厚さ５μｍとなるように形成して陰極１２とする。さらに、陰極１２の長手方向と平行方向となるように該陰極と陰極の間のスペース部分を中心にして幅４０μｍ高さ４０μｍとなるように誘電体ペーストを用いて絶縁ストライプ１４を形成する。絶縁ストライプ１４の上に陰極からの電子が放出される領域全体に直径５０μｍの開口部を有する薄板である制御電極１３をフリットガラスを用いて固定する。以上のように作製した電子線源パネル１を第１実施例１と同様に蛍光面パネルと組み合わせて真空排気する。
【００２９】
この平板バックライトを駆動する際は、制御電極１３を０Ｖとし、陽極２３には陽極電源１０５により２０ｋＶを印加する。陰極１２は複数あるので陰極駆動回路１０２を接続し、図５に示したように、線順次で各陰極に選択電圧が印加されるようにする。この場合、図６に示したように、選択されて電子放出させる領域に該当する陰極には陰極電源１０４から負電圧（本実施例では−３００Ｖ）の電圧を印加し、電子放出させない領域に該当する陰極は制御電極１３と同電位とする。陰極１２のうちから線順次で電極を選択していくことにより、全面が順次発光する平板バックライト部３００が得らる。スペーサ８が存在する領域には電子線照射されないために発光面のスペーサ８位置には線状の影が見られる点を含め第１実施例の平板バックライトと同様の光散乱板３を重ねる。
【００３０】
以上により得られた平板バックライト部３００を第１実施例の液晶表示装置と同様、図３および図４に示したように液晶パネル部４００と組合せて本発明による第２実施例の液晶表示装置を構成する。このとき、分割した陰極１２が液晶素子５の画素データ書換えのための選択ライン電極と平行となるようにするとともに、陰極駆動回路１０２の選択信号を液晶パネル部４００のライン電極選択信号と同期するように駆動する。本実施例の平板バックライトを組み合わせて第２実施例の液晶表示装置を構成することにより、第１実施例１の液晶表示装置と同等の性能を得ることができる。
【００３１】
図７は本発明による平板バックライトの第３実施例の概略構成を説明する斜視図である。上記で説明した第２実施例においては、陰極１２に含まれる電子放出材料として炭素ファイバを用いたが、本発明の効果は電子放出材料の種類には依存するものではなく、炭素ナノチューブ、ダイヤモンド、ダイヤモンドライク炭素のように同程度の電子放出特性を期待できるものを用いた場合にも同様の効果を得ることができることは明白である。しかし、一部の炭素ナノチューブのようにさらに低電界で電子放出を得ることができる電子放出材料を用いた場合には、上記のように非選択状態において制御電極１３と陰極１２を同電位とした場合においても電子放出が生じてしまう可能性がある。このような場合には陰極１２の電位を制御電極１３よりも正電位とすることができるカットオフ電極として用いる駆動方法を適用することにより、同様の効果を得ることができる。この場合の駆動電圧状態を図７示す。図７では、陰極電源１０４の極性のみが図６と逆向きとなっている以外、電極構成としては図６と同じである。
【００３２】
図８は本発明による平板バックライトの第４実施例の概略構成を説明する斜視図である。また、図９は図８をＤ面で切断した本発明による平板バックライトの第４実施例の概略構成を説明する断面図である。なお、図９の要部を拡大して示した。上記した第１実施例〜第３実施例においては、制御電極１３として開口部を有する薄板を用いたが、概略同一平面上に制御電極１３と陰極１２を縞状に形成した電極構造としても同じような効果を得ることができる。本実施例では、蛍光面パネル２は第１実施例１と同一構造とした。一方、電子線源パネル１側は以下のように構成した。
【００３３】
まず、電子線源パネルガラス基板１１上に線幅と間隔のいずれもが３０μｍとなるように厚さ５μｍの下地電極１５を縞状に形成した。その後、１本おきの下地電極１５の上に炭素ナノチューブを１０重量％含むペーストを印刷焼成して、およそ２μｍを中心とする厚み分布を持つ炭素ナノチュ−ブ層１２Ａを形成して陰極１２とし、該ペーストを印刷しない電極はそのまま制御電極１３となる電子線源パネル１を得る。
【００３４】
この際、縞状の下地電極１５の群の炭素ナノチューブ層１２Ａを形成したものの両脇に位置するものを制御電極１３とする必要があるため、有効な制御電極１３と陰極１２の総和は奇数となる。また、本実施例においては、制御電極１３と陰極１２の高さの差は炭素ナノチューブを含む膜の厚さ分の差が生じているが、理想的には両者の高さは同じが望ましい。
【００３５】
制御電極１３と陰極１２の高さの差が大きい場合には無用な電子線の発散を招く可能性が生じるため、両者の高さの差は小さい方が望ましく、大きくとも何れか厚い方の膜厚程度に抑えるのがよい。そのためには、炭素ナノチューブ層１２Ａの形成厚みを下地電極１５の形成厚みより薄くする。
【００３６】
得られた電子線源パネル１を、第１実施例１と同様に枠ガラス７およびスペーサ８を介して蛍光面パネル２と接合して内部を真空排気した。用いたスペーサ８は図２に示した第１実施例と同形状である。
【００３７】
この平板バックライトの駆動においては、制御電極１３はすべて０Ｖとし、陽極２３には陽極電源１０５により２０ｋＶを印加する。陰極１２には陰極駆動回路１０２を接続し、電子放出を生じさせるために選択した陰極１２には制御電極１３と同電位になるようにして、電子放出を生じさせない非選択状態の陰極１２は正電位（本実施例では＋２００Ｖ）となるように電圧を印加した。本実施例の炭素ナノチューブ１２Ａを電子放出物質として用いたペーストの印刷で形成した陰極１２は、陽極２３−陰極１２間の電位差により生じる３Ｖ／μｍの電界により必要な電子放出強度が得られる特性を有しており、０Ｖの電位を印加した選択状態の陰極１２からは必要な電子放出が得られる。
【００３８】
一方、陽極２３−陰極１２間の平均電界は隣接する制御電極１３により遮蔽され、正電位の電圧を印加した非選択状態の陰極１２表面の電界が抑制されて電子放出が遮断される。したがって、陰極１２に印加される選択信号に応じて部分的に電子放出が生じ、電子放出領域に応じた部分的な発光を生じさせることができる。
【００３９】
以上のように構成した平板バックライト部３００を第１実施例１〜第３実施例２と同様の図３に示した光散乱板３および液晶パネル部４００とを組合せて液晶表示装置を形成した。この液晶表示装置においても、動画像に対してボヤケの無い、高品質の画像表示を得ることができる。
【００４０】
なお、本実施例は前記した第２実施例と同様に、陰極側を複数に分割したものではある。しかし、第２実施例では印刷精度の劣る誘電体ペーストを用いて絶縁ストライプ１４を形成しなければならないことや、開口部を有する制御電極１３を別途作製しなければならない。これに対して、本実施例の電極構造を用いたものでは誘電体ペーストも用いず印刷により電極を形成することができる。これにより、より低コストで平板バックライト部３００を作製することができるという利点がある。
【００４１】
図１０は本発明による平板バックライトの第５実施例の概略構成を説明する図９と同様の断面図である。前記した第１実施例〜第４実施例のいずれの場合にも、図示したものは陰極１２の中の選択状態にあるものを１本だけとしているが、図１０に示したように複数の電極を同時に選択状態にして順次点灯を行なっても良い。分割数の多い場合には各領域はパルス発光に近く高い周波数成分を含む駆動信号により駆動しなければならないが、交流成分を含む駆動系の消費電力は駆動信号の周波数に比例することから、消費電力が比較的大きくなる。したがって、複数の電極を同時に選択状態にして分割数を減らして低周波駆動とすることにより低消費電力化することができる。さらには、静止画や動きの遅い画像を表示する場合には複数電極を同時選択して低周波駆動を行ない、動きの速い画像を表示する場合には分割数を増やして各領域をパルス発光させることにより、実効的な消費電力を低減させることもできる。
【００４２】
動画像表示においては、瞬間的および部分的に高輝度の表示をすることにより、画像のコントラストを高め、観測者が認識する画質を改善させることができることが知られている。本発明による液晶表示装置ではこの点においても優位である。
【００４３】
以上説明した各実施例では、図４に示したように、液晶表示装置では蛍光面パネル２で発光した蛍光２０２が、光散乱板３により均質化され、液晶パネル部４００により画像形成に必要な画素のみに透過光２０３が生じるようにしている。このため、高輝度が必要な画素を含む領域を発光させる際には蛍光面パネル２に照射する電子線２０１の強度を強くすることにより、高輝度に発光する画素を得ることができる。高輝度発光する画素と同一の蛍光面パネル２の領域に属する通常輝度で発光する画素においては、蛍光面パネル２の輝度が高くなっているため液晶パネル部４００での透過率を低下させることにより適切な輝度を得ることができる。蛍光体２２への電子線２０１照射による発光においては適切な特性の蛍光体２２を用いることに高速度のスイッチングが可能となり、かつ、蛍光面パネル２を高輝度にするのは必要な領域のみでよいために、わずかな消費電力の上昇により高コントラストな高画質画像を得ることができる。
【図面の簡単な説明】
【００４４】
【図１】本発明による平板バックライトの第１実施例の概略構成を説明する斜視図である。
【図２】図１をＡ面で切断した本発明による平板バックライトの第１実施例の概略構成を説明する断面図である。
【図３】本発明による液晶表示装置の第１実施例の概略構成を説明する斜視図である。
【図４】本発明による液晶表示装置の第１実施例の概略構成および平板バックライトからの光の径路を説明する図３のＢ−Ｂ’線に沿った断面図である。
【図５】本発明による平板バックライトの第２実施例の概略構成を説明する斜視図である。
【図６】本発明による平板バックライトの第２実施例の概略構成を説明する図５のＣ面で切断した断面図である。
【図７】本発明による平板バックライトの第３実施例の概略構成を説明する斜視図である。
【図８】本発明による平板バックライトの第４実施例の概略構成を説明する斜視図である。
【図９】本発明による平板バックライトの第４実施例の概略構成を説明する図８のＤ面で切断した断面図である。
【図１０】本発明による平板バックライトの第５実施例の概略構成を説明する図９と同様の断面図である。
【符号の説明】
【００４５】
１・・・電子線源パネル、２・・・蛍光面パネル、・・・光散乱板、４・・・下偏光板、４’・・・上偏光板、５・・・液晶素子、６・・・カラーフィルタ、７・・・枠ガラス、８・・・スペーサ、１１・・・電子線源パネルガラス基板１、１２・・・陰極、１３・・・制御電極、１４・・・絶縁ストライプ、２１・・・蛍光面パネルガラス基板、２２・・・蛍光体、２３・・・陽極、１０１・・・制御電極駆動回路、１０２・・・陰極駆動回路、１０３・・・制御電極電源、１０４・・・陰極電源、１０５・・・陽極電源、２０１・・・電子線、２０２・・・蛍光、２０３・・・透過光、３００・・・平板バックライト部、４００・・・液晶パネル部。
【図１】
2005084491.tif 000003
【図２】
2005084491.tif 000004
【図３】
2005084491.tif 000005
【図４】
2005084491.tif 000006
【図５】
2005084491.tif 000007
【図６】
2005084491.tif 000008
【図７】
2005084491.tif 000009
【図８】
2005084491.tif 000010
【図９】
2005084491.tif 000011
【図１０】
2005084491.tif 000012